(57)【要約】  【課題】  等価直列インダクタンスが低くて信頼性が高い積層コンデンサを提供する。  【解決手段】  複数の第１引出部５は、数が第１端子電極７の数の１／２であり、誘電体層２を挟んで互いに対向する第１内部電極３からそれぞれ積層方向に重ならないように積層体１の周囲における第１端子電極７の並びの一つおきに対して引き出されて接続されており、複数の第２引出部６は、数が第２端子電極８の数の１／２であり、誘電体層２を挟んで互いに対向する第２内部電極４からそれぞれ積層方向に重ならないように積層体１の周囲における第２端子電極８の並びの一つおきに対して引き出されて接続されている積層コンデンサ10である。隣接する引出部間の面積が狭くならなくなるので層間剥離を生じにくく、しかも引出部に入出力する電流のうち最も短い電流経路が確保され等価直列インダクタンスを低くすることができる。【選択図】図２
2007123505.tif 000002
【特許請求の範囲】
【請求項１】
複数の誘電体層を積層して成る積層体と、
該積層体の内部で前記誘電体層を挟んで互いに対向するように交互に配置された複数の第１内部電極および複数の第２内部電極と、
前記第１内部電極および前記第２内部電極からそれぞれ２箇所以上の複数箇所で前記積層体の周囲に引き出された複数の第１引出部および複数の第２引出部と、
前記積層体の周囲に積層方向に渡って形成され、積層方向の上下に位置する前記第１引出部同士および前記第２引出部同士をそれぞれ電気的に接続する、それぞれ４箇所以上の偶数箇所に、かつ前記積層体の周囲に交互に配置された複数の第１端子電極および複数の第２端子電極と
を備える積層コンデンサにおいて、
複数の前記第１引出部は、数が前記第１端子電極の数の１／２であり、前記誘電体層を挟んで互いに対向する前記第１内部電極からそれぞれ積層方向に重ならないように前記積層体の周囲における前記第１端子電極の並びの一つおきに対して引き出されて接続されており、
複数の前記第２引出部は、数が前記第２端子電極の数の１／２であり、前記誘電体層を挟んで互いに対向する前記第２内部電極からそれぞれ積層方向に重ならないように前記積層体の周囲における前記第２端子電極の並びの一つおきに対して引き出されて接続されていることを特徴とする積層コンデンサ。
【発明の詳細な説明】
【技術分野】
【０００１】
本発明はＩＣの電源端子における電源電圧を安定させるデカップリング回路等に好適に用いられる積層コンデンサに関するものである。
【背景技術】
【０００２】
ＩＣの電源端子に接続し、電源端子に供給される電力に急激な変動が生じたときに充電や放電を行なって電力を安定させるデカップリング回路等に、従来から積層コンデンサが好適に用いられている。
【０００３】
このような従来の積層コンデンサとしては、例えば、複数の誘電体層を積層した積層体の内部に、誘電体層を挟んで互いに対向するように交互に配置された複数の第１内部電極および第２内部電極から複数の第１引出部および第２引出部をそれぞれ複数箇所で積層体の周囲に引き出し、積層方向の上下に位置する第１引出部同士および第２引出部同士をそれぞれ電気的に接続しつつ積層体の周囲に積層方向に渡って第１端子電極および第２端子電極を形成したものが知られている（例えば、特許文献１を参照。）。
【０００４】
上記従来の積層コンデンサは、特徴的なところとして、各内部電極からの引出部を複数箇所に設けている点があり、この構成により一つの内部電極内に流れる電流経路が複数になり、それぞれの電流経路が短いものとなるので、積層コンデンサ全体の等価直列インダクタンスを低いものとすることができる。
【０００５】
このため上記従来の積層コンデンサは、それぞれの第１端子電極と第２端子電極との間に得られるキャパシタンスの合計と上記等価直列インダクタンスとの直列共振による共振周波数が比較的高いコンデンサとなっている。充電や放電が行なえるようなインピーダンスの低い有効周波数帯域はこの共振周波数付近に得られるものであるため、上記従来の積層コンデンサは、デカップリング回路の全有効周波数帯域のうちの高周波側で機能するコンデンサとして用いることができる。
【０００６】
また、上記従来の積層コンデンサは、複数の第１端子電極および複数の第２端子電極を、積層体を平面視した場合で積層体の周囲に交互に配置させたときには、第１端子電極に流れる電流の向きと第２端子電極に流れる電流の向きとは逆方向であるため、隣接する第１端子電極と第２端子電極との間では互いに発生する磁束を弱め合うこととなるので、等価直列インダクタンスをより低いものとすることができる。
【特許文献１】特表2002−508114号公報
【発明の開示】
【発明が解決しようとする課題】
【０００７】
しかしながら、上記従来の積層コンデンサについて小型化を図ろうとすると、複数の引出部が高密度に配置されることになるので、隣接する引出部間においては、誘電体層同士を接合する面積が小さくなり誘電体層間の接合力が小さくなって層間剥離が生じやすいので、信頼性が低下してしまうという問題点があった。
【０００８】
また、層間剥離を防ぐために引出部の数を減らし、端子電極の数を減らすようにしたときには、等価直列インダクタンスをあまり低くすることができないという問題点があった。
【０００９】
本発明は上記のような従来の積層コンデンサにおける問題点に鑑み案出されたものであり、その目的は、等価直列インダクタンスが低くて信頼性が高い積層コンデンサを提供することにある。
【課題を解決するための手段】
【００１０】
本発明の積層コンデンサは、複数の誘電体層を積層して成る積層体と、該積層体の内部で前記誘電体層を挟んで互いに対向するように交互に配置された複数の第１内部電極および複数の第２内部電極と、前記第１内部電極および前記第２内部電極からそれぞれ２箇所以上の複数箇所で前記積層体の周囲に引き出された複数の第１引出部および複数の第２引出部と、前記積層体の周囲に積層方向に渡って形成され、積層方向の上下に位置する前記第１引出部同士および前記第２引出部同士をそれぞれ電気的に接続する、それぞれ４箇所以上の偶数箇所に、かつ前記積層体の周囲に交互に配置された複数の第１端子電極および複数の第２端子電極とを備える積層コンデンサにおいて、複数の前記第１引出部は、数が前記第１端子電極の数の１／２であり、前記誘電体層を挟んで互いに対向する前記第１内部電極からそれぞれ積層方向に重ならないように前記積層体の周囲における前記第１端子電極の並びの一つおきに対して引き出されて接続されており、複数の前記第２引出部は、数が前記第２端子電極の数の１／２であり、前記誘電体層を挟んで互いに対向する前記第２内部電極からそれぞれ積層方向に重ならないように前記積層体の周囲における前記第２端子電極の並びの一つおきに対して引き出されて接続されていることを特徴とするものである。
【発明の効果】
【００１１】
本発明の積層コンデンサによれば、複数の第１引出部の数を第１端子電極の数の１／２にし、かつ、複数の第２引出部の数を第２引出部の数の１／２にしたことにより、隣接する引出部間の面積が狭くならなくなるので層間剥離を生じにくくさせ、また、誘電体層を挟んで互いに対向する第１内部電極からそれぞれ積層方向に重ならないように積層体の周囲における第１端子電極の並びの一つおきに対して引き出されて接続されていることにより、第１内部電極から引き出される第１引出部に入出力する電流のうち最も短い電流経路は、積層方向の上下に位置する２つの第２内部電極のそれぞれに一つずつ確保され、第２引出部についても、同様に入出力する電流のうち最も短い電流経路が確保されている。従って、本発明の積層コンデンサによれば、信頼性が高く、しかも等価直列インダクタンスが低い積層コンデンサとすることができる。
【発明を実施するための最良の形態】
【００１２】
以下に、本発明の積層コンデンサについて添付図面を参照しつつ詳細に説明する。
【００１３】
図１は本発明の積層コンデンサの実施の形態の一例を示す外観斜視図であり、図２（ａ）〜（ｅ）は図１の積層コンデンサの第１内部電極または第２内部電極が形成された一部の誘電体層を積層方向の上から順に並べて上方から見た平面図である。これらの図に示す本発明の積層コンデンサは、積層体１、複数の第１内部電極３および第２内部電極４、複数の第１引出部５および第２引出部６、ならびに複数の第１端子電極７および第２端子電極８を備える。
【００１４】
積層体１は、１層あたり１μｍ〜５μｍの厚みに形成された長方形状の複数の誘電体層２を、例えば70層〜600層積層することにより構成される直方体状の誘電体ブロックである。誘電体層２の材料としては、例えば、チタン酸バリウム，チタン酸カルシウム，チタン酸ストロンチウム等を主成分とする誘電体材料が用いられる。
【００１５】
第１内部電極３および第２内部電極４は、0.5μｍ〜２μｍの厚みに形成され、積層体１の内部で誘電体層２を挟んで互いに対向するように交互に複数配置された導体パターンである。第１内部電極３および第２内部電極４の材料としては、例えば、ニッケル，銅，ニッケル−銅，銀−パラジウム等の金属を主成分とする導体材料が用いられる。
【００１６】
第１引出部５および第２引出部６は、第１内部電極３および第２内部電極４からそれぞれ２箇所以上の複数箇所で積層体１の周囲に引き出された導体パターンであり、積層体１の周囲に形成された複数の第１端子電極７および第２端子電極８にそれぞれ電気的に接続する。
【００１７】
第１端子電極７および第２端子電極８は、２μｍ〜70μｍの厚みで積層体１の周囲に積層方向に渡って帯状に形成され、積層方向の上下に位置する第１引出部５同士および第２引出部６同士をそれぞれ電気的に接続する積層体１の周囲に４箇所以上の偶数箇所に配置された厚膜導体パターンである。第１端子電極７および第２端子電極８の材料としては、例えば、ニッケル，銅，銀，パラジウム等の金属を主成分とする導体材料が用いられる。なお、第１端子電極７および第２端子電極８の表面には、外部の回路基板の電極パッドとの接続を良好にさせるために、錫．ハンダもしくは金等の導体材料によって耐腐食用金属膜を形成するのが好ましい。
【００１８】
このような構成の積層コンデンサ10は、第１端子電極７と第２端子電極８との間に所定の電位差が生じると、第１端子電極７から第１引出部５を通って第１内部電極３へと電流が流れるとともに、これとは逆極性の電流が第２端子電極８から第２引出部６を通って第２内部電極４へと流れ、第１内部電極３と第２内部電極４との間に所定のキャパシタンスが得られるものである。また、本発明の積層コンデンサにおいては、第１引出部５および第２引出部６は、それぞれ４箇所以上の偶数箇所に設けられており、このような構成とすることにより一つの内部電極内に流れる電流経路が複数になり、それぞれの電流経路が短いものとなるので、積層コンデンサ全体の等価直列インダクタンスを低いものとすることができる。このため本発明の積層コンデンサは、それぞれの第１端子電極７と第２端子電極８との間に得られるキャパシタンスの合計と上記等価直列インダクタンスとの直列共振による共振周波数が比較的高い積層コンデンサとなっている。充電や放電が行なえるようなインピーダンスの低い有効周波数帯域はこの共振周波数付近に得られるものであるため、本発明の積層コンデンサ10は、デカップリング回路の全有効周波数帯域のうちの高周波側で機能するコンデンサとして用いることができる。また、複数の第１端子電極７および複数の第２端子電極８は、積層体１を平面視したときに積層体１の周囲に交互に配置されており、第１端子電極７に流れる電流と第２端子電極８に流れる電流の向きは総体的に逆方向であるため、隣接する第１端子電極７と第２端子電極８との間では互いに発生する磁束を弱め合い、等価直列インダクタンスをより低いものとしている。
【００１９】
そして、本発明の積層コンデンサ10は、複数の第１引出部の数を第１端子電極の数の１／２にし、かつ、複数の第２引出部の数を第２引出部の数の１／２にしたことにより隣接する引出部間の面積が狭くならなくなるので層間剥離を生じにくくさせている。
【００２０】
また、複数の第１引出部５は誘電体層を挟んで互いに対向する第１内部電極からそれぞれ積層方向に重ならないように積層体の周囲における第１端子電極の並びの一つおきに対して引き出されて接続されていることにより、第１内部電極から引き出される第１引出部に入出力する電流のうち最も短い電流経路は、積層方向の上下に位置する２つの第２内部電極のそれぞれに一つずつ確保されている。さらに、複数の第２引出部６は誘電体層２を挟んで互いに対向する第２内部電極４からそれぞれ積層方向に重ならないように積層体１の周囲における第２端子電極８の並びの一つおきに対して引き出されて接続されていることにより、第１内部電極から引き出される第１引出部に入出力する電流のうち最も短い電流経路は、積層方向の上下に位置する２つの第２内部電極のそれぞれに一つずつ確保されている。従って本発明の積層コンデンサによれば、信頼性が高く、しかも等価直列インダクタンスが低い積層コンデンサとすることができる。
【００２１】
例えば本発明の積層コンデンサ10の実施の形態の一例において、図２（ｂ）の誘電体層２上の第１内部電極３から引き出された２つの第１引出部５に電流が入力されたときに発生する電流経路のうち最も経路の短いものは電流経路Ａ，Ｂ，Ｃ，Ｄである。このとき図２（ｂ）の誘電体層２の上方に位置する図２（ａ）の誘電体層２の第２内部電極４においては、電流経路Ａ，Ｄに対応する電流経路Ａ’，Ｄ’が発生し、第２引出部６から電流が出力される。また図２（ｂ）の誘電体層２の下方に位置する図２（ｃ）の誘電体層２の第２内部電極４においては、電流経路Ｂ，Ｃに対応する電流経路Ｂ’，Ｃ’が発生し、第２引出部６から電流が出力される。
【００２２】
同様に、図２（ｄ）の誘電体層２上の第１内部電極３から引き出された２つの第１引出部５に電流が入力されたときに発生する電流経路のうち最も経路の短いものは電流経路Ｅ，Ｆ，Ｇ，Ｈである。このとき図２（ｄ）の誘電体層２の上方に位置する図２（ｃ）の誘電体層２の第２内部電極４においては、電流経路Ｆ，Ｇに対応する電流経路Ｆ’，Ｇ’が発生し、第２引出部６から電流が出力される。また図２（ｄ）の誘電体層２の下方に位置する図２（ｅ）の誘電体層２の第２内部電極４においては、電流経路Ｅ，Ｈに対応する電流経路Ｅ’，Ｈ’が発生し、第２引出部６から電流が出力される。
【００２３】
このように、上述した実施の形態の例においては、第１内部電極３に発生する最も経路の短い４つの電流経路に対応する電流経路は、上下に位置する第２内部電極４にそれぞれ２つずつ発生するようになっている。
【００２４】
本発明の積層コンデンサ10は、例えば以下に示す方法により製造される。
【００２５】
先ず、誘電体層２に対応する誘電体グリーンシートを作製する。誘電体グリーンシートは、例えば、チタン酸バリウムを主成分とする無機粉末に適当な有機溶剤，ガラスフリット，有機バインダ，可塑剤等を添加・混合してセラミックスラリーを作製し、このセラミックスラリーをドクターブレード法等によって所定形状，所定厚みに形成したものである。
【００２６】
作製した誘電体グリーンシート上に、例えば、ニッケルの粉末に適当な有機溶剤，有機バインダ等を添加・混合して作製した導体ペーストを用いて、スクリーン印刷法等により第１内部電極３および第１引出部５に対応する導体ペーストパターン、ならびに第２内部電極４および第２引出部６に対応する導体ペーストパターンを形成する。本発明の積層コンデンサ10の製造する方法のなかで形成される導体ペーストパターンは、第１内部電極３が形成されるものについては、図２（ｂ）に対応するものと図２（ｄ）に対応するものの２種類があり、第２内部電極４が形成されるものについては、図２（ａ）に対応するものと図２（ｃ）に対応するものの２種類がある。なお、本発明の積層コンデンサの製造においては、誘電体層２に対応する誘電体層領域が縦横の並びに複数配置された誘電体グリーンシートを用いている。
【００２７】
次に、上述したそれぞれの導体ペーストパターンが形成された誘電体グリーンシートを、第１内部電極３と第２内部電極４とが交互になるように所定枚数積層し圧着させて複数のセラミックグリーンシートからなる積層シートを形成し、これを上記各誘電体層領域の境界線に沿って切断分離して複数の個片の積層シートを製作し、この個片の積層シートを例えば1100℃〜1400℃の温度で焼成して積層体１を製作し、この積層体１の周囲に上記導体ペーストをスクリーン印刷法等によって積層方向に渡って帯状に塗布しこれを焼付けることにより第１端子電極７および第２端子電極８を形成することにより本発明の積層コンデンサ10が製造される。
【００２８】
なお、本発明は上述した実施の形態の例に限定されるものではなく、本発明の要旨を逸脱しない範囲において種々の変更，改良等が可能である。
【００２９】
例えば、上述した実施の形態の例においては、積層体１は長方形状を成しているが、台形状、菱形状、三角形状、もしくはその他の多角形状、または円形状でもよい。
【００３０】
また、上述した実施の形態の例においては、第１端子電極７および第２端子電極８がそれぞれ４箇所形成された構成が示されているが、それぞれ４箇所以上の偶数箇所に形成されていれば適用することが可能である。
【００３１】
例えば、図３は本発明の積層コンデンサの実施の形態の他の例を示す外観斜視図であり、図４（ａ）〜（ｅ）は図３の積層コンデンサの第１内部電極または第２内部電極が形成された一部の誘電体層を積層方向の上から順に並べて上方から見た平面図である。なお、図１および図２と同様の箇所には同じ符号を用いて重複する説明は省く。積層コンデンサ30は、図３において、第１端子電極７および第２端子電極８がそれぞれ６箇所形成されており、図４（ａ）〜（ｅ）において、第１内部電極３および第２内部電極４から引き出される第１引出部５および第２引出部６がそれぞれ３箇所形成されている。
【００３２】
図３および図４（ａ）〜（ｅ）に示す積層コンデンサ30において、図４（ｂ）の誘電体層２上の第１内部電極３から引き出された２つの第１引出部５に電流が入力されたときに発生する電流経路のうち最も経路の短いものは電流経路Ｉ，Ｊ，Ｋ，Ｌ，Ｍ，Ｎである。このとき図４（ｂ）の誘電体層２の上方に位置する図４（ａ）の誘電体層２の第２内部電極４においては、電流経路Ｉ，Ｌ，Ｍに対応する電流経路Ｉ’，Ｌ’，Ｍ’が発生し、第２引出部６から電流が出力される。また図４（ｂ）の誘電体層２の下方に位置する図４（ｃ）の誘電体層２の第２内部電極４においては、電流経路Ｊ，Ｋ，Ｎに対応する電流経路Ｊ’，Ｋ’，Ｎ’が発生し、第２引出部６から電流が出力される。
【００３３】
同様に、図４（ｄ）の誘電体層２上の第１内部電極３から引き出された２つの第１引出部５に電流が入力されたときに発生する電流経路のうち最も経路の短いものは電流経路Ｏ，Ｐ，Ｑ，Ｒ，Ｓ，Ｔである。このとき図４（ｄ）の誘電体層２の上方に位置する図４（ｃ）の誘電体層２の第２内部電極４においては、電流経路Ｐ，Ｑ，Ｔに対応する電流経路Ｐ’，Ｑ’，Ｔ’が発生し、第２引出部６から電流が出力される。また図２（ｄ）の誘電体層２の下方に位置する図２（ｅ）の誘電体層２の第２内部電極４においては、電流経路Ｏ，Ｒ，Ｓに対応する電流経路Ｏ’，Ｒ’，Ｓ’が発生し、第２引出部６から電流が出力される。
【００３４】
このように、上述した実施の形態の例においては、第１内部電極３に発生する最も経路の短い６つの電流経路に対応する電流経路は、上下に位置する第２内部電極４にそれぞれ３箇所発生するようになっている。
【００３５】
また、図５は本発明の積層コンデンサの実施の形態のさらに他の例を示す外観斜視図であり、図６（ａ）〜（ｅ）は図５の積層コンデンサの第１内部電極または第２内部電極が形成された一部の誘電体層を積層方向の上から順に並べて上方から見た平面図である。なお、図１および図２と同様の箇所には同じ符号を用いて重複する説明は省く。積層コンデンサ50は、図５において、第１端子電極７および第２端子電極８がそれぞれ８箇所形成されており、図６（ａ）〜（ｅ）において、第１内部電極３および第２内部電極４から引き出される第１引出部５および第２引出部６がそれぞれ４箇所形成されている。
【００３６】
図５および図６（ａ）〜（ｅ）に示す積層コンデンサ50において、図６（ｂ）の誘電体層２上の第１内部電極３から引き出された２つの第１引出部５に電流が入力されたときに発生する電流経路のうち最も経路の短いものは電流経路ｆ，ｇ，ｈ，ｉ，ｊ，ｋ，ｌ，ｍである。このとき図６（ｂ）の誘電体層２の上方に位置する図６（ａ）の誘電体層２の第２内部電極４においては、電流経路ｆ，ｉ，ｊ，ｍに対応する電流経路ｆ’，ｉ’，ｊ’，ｍ’が発生し、第２引出部６から電流が出力される。また図６（ｂ）の誘電体層２の下方に位置する図６（ｃ）の誘電体層２の第２内部電極４においては、電流経路ｇ，ｈ，ｋ，ｌに対応する電流経路ｇ’，ｈ’，ｋ’，ｌ’が発生し、第２引出部６から電流が出力される。
【００３７】
同様に、図６（ｄ）の誘電体層２上の第１内部電極３から引き出された２つの第１引出部５に電流が入力されたときに発生する電流経路のうち最も経路の短いものは電流経路ｎ，ｏ，ｐ，ｑ，ｒ，ｓ，ｔ，ｕである。このとき図６（ｄ）の誘電体層２の上方に位置する図６（ｃ）の誘電体層２の第２内部電極４においては、電流経路ｏ，ｐ，ｓ，ｔに対応する電流経路ｏ’，ｐ’，ｓ’，ｔ’が発生し、第２引出部６から電流が出力される。また図６（ｄ）の誘電体層２の下方に位置する図６（ｅ）の誘電体層２の第２内部電極４においては、電流経路ｎ，ｑ，ｒ，ｕに対応する電流経路ｎ’，ｑ’，ｒ’，ｕ’が発生し、第２引出部６から電流が出力される。
【００３８】
このように、上述した実施の形態の例においては、第１内部電極３に発生する最も経路の短い８つの電流経路に対応する電流経路は、上下に位置する第２内部電極４にそれぞれ４箇所発生するようになっている。
【実施例】
【００３９】
本発明の積層コンデンサについて具体例を説明する。
【００４０】
試料１，２，３として本発明の積層コンデンサを作製した。これら試料１，２，３では、積層体の形状は長さが２ｍｍで幅が1.2ｍｍの長方形状であり、周囲に複数の第１端子電極および複数の第２端子電極が交互に形成され、積層体の内部に第１内部電極および第２内部電極ならびに第１内部電極および第２内部電極からそれぞれ引き出される複数の第１引出部および複数の第２引出部が形成されている。積層体を成す誘電体層の材料としてはチタン酸バリウムを主成分とするものを用い、第１内部電極および第２内部電極の材料としてはニッケルを主成分とするものを用い、第１端子電極および第２端子電極の材料としては銅を主成分とするものを用いた。また、複数の第１引出部は、誘電体層を挟んで互いに対向する第１内部電極からそれぞれ積層方向に重ならないように積層体の周囲における第１端子電極の並びの一つおきに対して引き出されて接続されており、複数の第２引出部は、数が第２端子電極の数の１／２であり、誘電体層を挟んで互いに対向する第２内部電極からそれぞれ積層方向に重ならないように積層体の周囲における第２端子電極の並びの一つおきに対して引き出されて接続されているものとした。
【００４１】
試料１および試料２は積層体の長さが２ｍｍで幅が1.2ｍｍの直方体状とし、試料３は積層体の長さが3.2ｍｍで幅が1.6ｍｍの直方体状とした。また、第１端子電極および第２端子電極の数はそれぞれ、試料１が４、試料２が６、試料３が８であり、第１引出部および第２引出部の数はそれぞれ、試料１が２、試料２が３、試料３が４となっている。
【００４２】
また、試料４，５，６，７，８，９，10，11，12，13として、比較例としての従来の積層コンデンサを作製した。試料４，５は試料１に対する比較例としての従来の積層コンデンサであり、試料６，７，８，９は試料２に対する比較例としての従来の積層コンデンサであり、試料10，11，12，13は試料３に対する比較例としての従来の積層コンデンサである。
【００４３】
これら比較例としての従来の積層コンデンサにおいて、第１引出部および第２引出部の数は、試料４，６，10についてはそれぞれ第１端子電極の数および第２端子電極の数に等しいものとし、試料５，７，11についてはそれぞれ第１端子電極の数の１／２および第２端子電極の数の１／２とし、試料８，９， 12，13についてはそれぞれ第１端子電極の数の１／２より１少ない数および第２端子電極の数の１／２より１少ない数とした。
【００４４】
また試料９，13については、本発明の積層コンデンサである試料１，２，３と同様に、複数の第１引出部を誘電体層を挟んで互いに対向する第１内部電極からそれぞれ積層方向に重ならないように引き出したものとし、複数の第２引出部を誘電体層を挟んで互いに対向する第２内部電極からそれぞれ積層方向に重ならないように引き出したものとした。
【００４５】
これら各試料１乃至13についての層間剥離の発生率（母数は50）およびインダクタンスを測定した結果を表１に示す。表１は積層コンデンサの信頼性および特性を示す表であり、Ｓ／Ｒは、誘電体層を挟んで互いに対向する第１内部電極からそれぞれ積層方向に重なるように引き出された複数の第１引出部、または誘電体層を挟んで互いに対向する第２内部電極からそれぞれ積層方向に重なるように引き出された複数の第２引出部の存在の有無を示し、Ｄ／Ｎは層間剥離の発生率（単位：％）を示し、ＥＳＬは積層コンデンサの等価直列インダクタンス（単位：ｐＨ）を示す。
【表１】
2007123505.tif 000003
【００４６】
表１に示す結果によれば、試料１，２，３の本発明の積層コンデンサは、試料４，６，10の従来の積層コンデンサのように層間剥離は発生していない。
【００４７】
また、試料１，２，３の本発明の積層コンデンサは、試料５，７，８，９，11，12，13の従来の積層コンデンサのように、誘電体層を挟んで互いに対向する第１内部電極からそれぞれ積層方向に重なるように引き出された複数の第１引出部、または誘電体層を挟んで互いに対向する第２内部電極からそれぞれ積層方向に重なるように引き出された複数の第２引出部が存在するものと比較して低い等価直列インダクタンスが得られており、その値は、試料４，６，10の従来の積層コンデンサのように端子電極と引出部との数を等しくしたものと同等レベルであった。
【００４８】
このように、本発明の積層コンデンサによれば、複数の第１引出部の数を第１端子電極の数の１／２にし、かつ、複数の第２引出部の数を第２引出部の数の１／２にしたことにより隣接する引出部間の面積が狭くならなくなるので層間剥離を生じにくくさせ、また、誘電体層を挟んで互いに対向する第１内部電極からそれぞれ積層方向に重ならないように積層体の周囲における第１端子電極の並びの一つおきに対して引き出されて接続されていることにより、第１内部電極から引き出される第１引出部に入出力する電流のうち最も短い電流経路は、積層方向の上下に位置する２つの第２内部電極のそれぞれに一つずつ確保され、第２引出部についても同様に入出力する電流のうち最も短い電流経路が確保され、信頼性が高く、しかも等価直列インダクタンスが低い積層コンデンサとすることができることが確認された。
【図面の簡単な説明】
【００４９】
【図１】本発明の積層コンデンサの実施の形態の一例を示す外観斜視図である。
【図２】（ａ）〜（ｅ）は図１の積層コンデンサの第１内部電極または第２内部電極が形成された一部の誘電体層を積層方向の上から順に並べて上方から見た平面図である。
【図３】本発明の積層コンデンサの実施の形態の他の例を示す外観斜視図である。
【図４】（ａ）〜（ｅ）は図３の積層コンデンサの第１内部電極または第２内部電極が形成された一部の誘電体層を積層方向の上から順に並べて上方から見た平面図である。
【図５】本発明の積層コンデンサの実施の形態のさらに他の例を示す外観斜視図である。
【図６】（ａ）〜（ｅ）は図５の積層コンデンサの第１内部電極または第２内部電極が形成された一部の誘電体層を積層方向の上から順に並べて上方から見た平面図である。
【符号の説明】
【００５０】
１・・・積層体
２・・・誘電体層
３・・・第１内部電極
４・・・第２内部電極
５・・・第１引出部
６・・・第２引出部
７・・・第１端子電極
８・・・第２端子電極
10，30，50・・・積層コンデンサ
【図１】
2007123505.tif 000004
【図２】
2007123505.tif 000005
【図３】
2007123505.tif 000006
【図４】
2007123505.tif 000007
【図５】
2007123505.tif 000008
【図６】
2007123505.tif 000009